(57)【要約】【課題】レバー操作装置に作用させる負荷の程度を切り替える装置の設計を簡素にすることができる遊技機を提供する。【解決手段】遊技者の操作を受け付けるレバー操作装置を備えた遊技機であって、レバー操作装置は、遊技者の操作によって傾倒されるレバーユニット１２０と、レバーユニットに弾性力を作用させる弾性ユニット１４０と、レバーユニットに弾性ユニットによる弾性力が作用した高負荷状態と、レバーユニットに弾性ユニットによる弾性力が作用しない低負荷状態とを切り替える切替手段１６０と、を備える。【選択図】図７
2017000491.tif 000002
【特許請求の範囲】
【請求項１】
遊技者の操作を受け付けるレバー操作装置を備えた遊技機であって、
前記レバー操作装置は、
遊技者の操作によって傾倒されるレバーユニットと、
前記レバーユニットに弾性力を作用させる弾性ユニットと、
前記レバーユニットに前記弾性ユニットによる弾性力が作用した高負荷状態と、該レバーユニットに該弾性ユニットによる弾性力が作用しない低負荷状態とを切り替える切替手段と、
を備えたことを特徴とする遊技機。
【請求項２】
前記レバーユニットは、
ケーシングに回転自在に軸支された回転軸と、
前記回転軸に固定され、遊技者が把持する把持部と、
を備えたことを特徴とする請求項１に記載の遊技機。
【請求項３】
前記弾性ユニットは、
前記回転軸と一体回転する固定部材と、
前記回転軸に相対回転自在に設けられた連動部材と、
一端が前記固定部材に固定され、他端が前記連動部材に固定された弾性部材と、
を備え、
前記切替手段は、
前記連動部材に接触して該連動部材の回転を規制する規制位置と、該連動部材と非接触となり該連動部材の回転を許容する許容位置と、に移動される規制部材と、
前記規制部材を前記規制位置または前記許容位置に作動するアクチュエータと、
を備え、
前記規制部材が前記規制位置にあるとき前記高負荷状態となり、該規制部材が前記許容位置にあるとき前記低負荷状態となることを特徴とする請求項２に記載の遊技機。
【請求項４】
前記レバー操作装置は、
前記レバーユニットの傾倒動作が制限される待機位置から、該レバーユニットの傾倒動作が可能となる操作位置まで、該レバーユニット、前記弾性ユニットおよび前記切替手段を一体に移動させる移動ユニットをさらに備えたことを特徴とする請求項１〜３のいずれか１項に記載の遊技機。
【発明の詳細な説明】
【技術分野】
【０００１】
本発明は、遊技者の操作を受け付けるレバー操作装置を備えた遊技機に関する。
【背景技術】
【０００２】
従来、遊技者の操作を受け付ける操作装置が設けられ、遊技中に遊技者の操作を受け付けると、さまざまな演出が実行される遊技機が広く普及している。また、こうした操作装置の中には、負荷の程度を切り替えることで、遊技者に意外性や期待感を付与するものが提案されている。
【０００３】
例えば、特許文献１には、回転軸に回転自在に軸支されたボタン装置に対して、ボタン装置に接続された駆動装置が負荷を発生させることで、通常時に操作した際の負荷より大きい負荷を遊技者に付与する技術が記載されている。また、特許文献２には、一端が操作側となり、他端がスイッチ側となるレバーが設けられたレバー操作装置において、レバーの他端側に電磁石を設けることで通常時に操作した際の負荷より大きい負荷を遊技者に付与する技術が記載されている。
【先行技術文献】
【特許文献】
【０００４】
【特許文献１】特開２０１４−１４４２１８号公報
【特許文献２】特開２００３−１０２９００号公報
【発明の概要】
【発明が解決しようとする課題】
【０００５】
しかしながら、従来における負荷の程度を切り替える操作装置の設計は、煩雑になりやすい傾向があった。
【０００６】
そこで、本発明の目的は、負荷の程度を切り替えるレバー操作装置の設計を簡素にすることができる遊技機を提供することである。
【課題を解決するための手段】
【０００７】
上記課題を解決するために、本発明の、遊技者の操作を受け付けるレバー操作装置を備えた遊技機は、レバー操作装置は、遊技者の操作によって傾倒されるレバーユニットと、レバーユニットに弾性力を作用させる弾性ユニットと、レバーユニットに弾性ユニットによる弾性力が作用した高負荷状態と、レバーユニットに弾性ユニットによる弾性力が作用しない低負荷状態とを切り替える切替手段と、を備えたことを特徴とする。
【０００８】
また、レバーユニットは、ケーシングに回転自在に軸支された回転軸と、回転軸に固定され、遊技者が把持する把持部と、を備えてもよい。
【０００９】
また、弾性ユニットは、回転軸と一体回転する固定部材と、回転軸に相対回転自在に設けられた連動部材と、一端が回転部材に固定され、他端が連動部材に固定された弾性部材と、を備え、切替手段は、連動部材に接触して連動部材の回転を規制する規制位置と、連動部材と非接触となり連動部材の回転を許容する許容位置と、に移動される規制部材と、規制部材を規制位置または許容位置に作動するアクチュエータと、を備え、規制部材が規制位置にあるとき高負荷状態となり、規制部材が許容位置にあるとき低負荷状態となってもよい。
【００１０】
また、レバー操作装置は、レバーユニットの傾倒動作が制限される待機位置から、レバーユニットの傾倒動作が可能となる操作位置まで、レバーユニット、弾性ユニットおよび切替手段を一体に移動させる移動ユニットをさらに備えてもよい。
【発明の効果】
【００１１】
本発明によれば、レバー操作装置に作用させる負荷の程度を切り替える装置の設計を簡素にすることができる。
【図面の簡単な説明】
【００１２】
【図１】遊技機を説明するための斜視図である。
【図２】レバー操作装置が扉体に取り付けられた状態を示す図である。
【図３】レバー操作装置を説明する図である。
【図４】操作ユニットを説明するための斜視図である。
【図５】レバーユニットおよび弾性ユニットの動作を説明する図である。
【図６】切替手段を説明する図である。
【図７】レバーユニットに対して弾性ユニットによる弾性力が作用された場合における動作を説明する図である。
【図８】移動ユニットを説明する図である。
【図９】移動ユニットの動作を説明する図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、本実施形態の遊技機１を説明するための斜視図であり、扉が解放された状態を示している。図示のように、遊技機１は、略矩形上に組まれた四辺によって囲繞空間が形成される外枠２と、この外枠２にヒンジ機構によって開閉自在に取り付けられた中枠４と、この中枠４にヒンジ機構によって開閉自在に取り付けられた扉体６と、を備えている。
【００１５】
中枠４は、外枠２と同様に、略矩形上に組まれた四辺によって囲繞空間が形成されており、この囲繞空間に遊技盤８が保持されている。また、扉体６には、ユニット化されたガラス製または樹脂製の透過板１０が保持されている。そして、これら中枠４および扉体６を外枠２に対して閉じると、遊技盤８と透過板１０とが所定の間隔を維持して略平行に対面するとともに、遊技機１の正面側から透過板１０を介して、遊技盤８が視認可能となる。
【００１６】
図２は、レバー操作装置１００が扉体６に取り付けられた状態を示す図である。以下、遊技機１の幅方向をＸ軸方向、遊技機１の厚さ方向をＹ軸方向、遊技機１の鉛直方向をＺ軸方向として説明する。また、Ｘ軸方向において正方向を右側、負方向を左側とし、Ｙ軸方向において正方向を前方、負方向を後方とし、Ｚ軸方向において、正方向を上方、負方向を下方とする。
【００１７】
図２に示すように、扉体６の前面であって、透過板１０の下方には、受皿ユニット１６が設けられている。この受皿ユニット１６は、遊技球が貯留される上皿１２（受皿）および下皿１４（受皿）が設けられており、上皿１２と下皿１４との間には、遊技者の操作を受け付けるレバー操作装置１００が設けられている。遊技機１においては、遊技の進行中に、レバー操作装置１００の操作を有効に受け付ける操作有効時間が設定されることがあり、この操作有効時間内に、レバー操作装置１００が遊技者の操作を受け付けると、当該操作に応じてさまざまな演出が実行される。
【００１８】
図３は、レバー操作装置１００を説明する図であり、図３（ａ）は、レバー操作装置１００を遊技機１から取り外した状態を示し、図３（ｂ）は、レバー操作装置１００を操作ユニット１０２と移動ユニット１０４に分解した状態を示す。
【００１９】
図３（ａ）および図３（ｂ）に示すように、レバー操作装置１００は、操作ユニット１０２と、移動ユニット１０４とを含んで構成される。詳しくは後述するが、操作ユニット１０２は遊技者の操作を受け付けるものであり、移動ユニット１０４は、操作ユニット１０２の動作が制限される待機位置から操作ユニット１０２の動作が可能となる操作位置まで、操作ユニット１０２を移動させるものである。
【００２０】
図４は、操作ユニット１０２を説明するための斜視図である。図４（ａ）は、操作ユニット１０２における左後方側からの斜視図であり、図４（ｂ）は、操作ユニット１０２における右後方側からの斜視図である。
【００２１】
図４（ａ）に示すように、操作ユニット１０２は、ケーシング１０６と、遊技者によって傾倒されるレバーユニット１２０と、レバーユニット１２０に弾性力を作用させる弾性ユニット１４０と、レバーユニット１２０に弾性ユニット１４０による弾性力が作用した高負荷状態と、レバーユニット１２０に弾性ユニット１４０による弾性力が作用しない低負荷状態とを切り替える切替手段１６０とを含んで構成されている。
【００２２】
レバーユニット１２０は、回転軸１２２、支持部１２４、把持部１２６を含んで構成されている。回転軸１２２は、両端をケーシング１０６から突出させた状態でケーシング１０６に回転自在に軸支されており、ケーシング１０６から突出する回転軸１２２の両端には、支持部１２４がそれぞれ設けられている。
【００２３】
支持部１２４は、平板状の部材であって、長手方向の一端側が回転軸１２２に固定されており、他端側が把持部１２６に固定されている。把持部１２６は、回転軸１２２に対して平行に配され、把持部１２６の両端が、一対の支持部１２４にそれぞれ固定されている。また、把持部１２６は、操縦桿を模した装飾が施された中空円筒状の部材であり、内部にＬＥＤ等の演出用の部材が設けられている。詳しくは後述するが、遊技者が把持部１２６を把持して手前（遊技機１と正対する遊技者側）に引くように操作すると、レバーユニット１２０は回転軸１２２を軸として所定の角度範囲で傾倒することとなる。
【００２４】
図４（ｂ）に示すように、ケーシング１０６と支持部１２４との間には、第１コイルバネ１３０がそれぞれ設けられている。第１コイルバネ１３０は、回転軸１２２に挿通された状態で、一端がケーシング１０６に形成された係止孔１０６ａに係止され、他端が支持部１２４に係止されている。したがって、上記のように遊技者がレバーユニット１２０を操作すると、支持部１２４に作用する第１コイルバネ１３０の弾性力に抗して、レバーユニット１２０が傾倒することとなる。
【００２５】
弾性ユニット１４０は、固定部材１４２、連動部材１４４、第２コイルバネ１４６（弾性部材）を含んで構成されている。固定部材１４２は、回転軸１２２に挿通された状態で回転軸１２２に固定されており、回転軸１２２と一体回転する。
【００２６】
連動部材１４４は、平板状の本体１４４ａの一端側に回転軸１２２が相対回転自在に挿通されており、本体１４４ａを回転軸１２２の径方向に突出させるように回転軸１２２に設けられている。
【００２７】
第２コイルバネ１４６は、固定部材１４２と連動部材１４４との間において、回転軸１２２が相対回転自在に挿通されるとともに、一端が固定部材１４２に形成された固定部１４２ａに固定され、他端が連動部材１４４に形成された固定部１４４ｂに固定される。
【００２８】
図５は、レバーユニット１２０および弾性ユニット１４０の動作を説明する図である。図５（ａ）は、レバーユニット１２０が遊技者によって傾倒された際の状態を示す左後方側からの斜視図であり、図５（ｂ）は、レバーユニット１２０が遊技者によって傾倒された際の状態を示す右後方側からの斜視図である。
【００２９】
図５（ａ）および図５（ｂ）に示すように、遊技者が把持部１２６を、遊技機１と正対する遊技者側に引くと、レバーユニット１２０が回転軸１２２を軸として回転（傾倒）する。そうすると、回転軸１２２に固定された固定部材１４２が一体回転するとともに、固定部材１４２に一端が固定された第２コイルバネ１４６も一体回転する。第２コイルバネ１４６が回転すると、第２コイルバネ１４６の他端を固定する連動部材１４４も一体回転することから、この場合には、把持部１２６の操作に際して、第２コイルバネ１４６の弾性力による負荷が生じることはない。
【００３０】
なお、このとき、回転軸１２２の両端に設けられた第１コイルバネ１３０は、それぞれレバーユニット１２０（支持部１２４）に対して、レバーユニット１２０を元（傾倒される前）の状態に復帰させる方向に弾性力を作用させている。したがって、遊技者は、第１コイルバネ１３０の弾性力に抗してレバーユニット１２０を操作する（傾倒させる）ことになる。また、遊技者がレバーユニット１２０から手を放すと、レバーユニット１２０が第１コイルバネ１３０の弾性力によって元の状態に復帰する。ここで、レバーユニット１２０に対して、第１コイルバネ１３０のみの弾性力（負荷）が作用される（第２コイルバネ１４６の弾性力が作用しない）状態を低負荷状態とよぶ。
【００３１】
図４（ａ）に戻り、切替手段１６０は、電磁ソレノイド（アクチュエータ）１６２、規制部材１６４を含んで構成されている。以下に、切替手段１６０の詳細および位置関係について説明する。
【００３２】
図６は、切替手段１６０を説明する図であり、図６（ａ）は、規制部材１６４が許容位置にある状態を示し、図６（ｂ）および図６（ｃ）は、規制部材１６４が規制位置にある状態を示す。また、図６（ａ）および図６（ｂ）は、右側からの側面図であり、図６（ｃ）は左後方側からの拡大斜視図である。
【００３３】
図６（ａ）に示すように、電磁ソレノイド１６２は、通常、バネの弾性力により鉄心を下方に突出させており、不図示のコイルに通電すると、バネの弾性力に抗して鉄心を上方に引き寄せる。なお、電磁ソレノイド１６２は、取付部材１６６を介して、締結部材１０８によって、ケーシング１０６に固定されている。また、電磁ソレノイド１６２は、連動部材１４４の位置に比べて前方（Ｙ軸の正方向）に配設されている。
【００３４】
規制部材１６４は、一端と他端とで肉厚（Ｚ軸方向）が異なる板部材であり、肉厚の薄い一端側には鉛直方向（Ｚ軸方向）における上方に向けて突出した突起部１６４ａが形成されており、肉厚の厚い他端側は、取付部材１６６に相対回転自在に軸支されている。規制部材１６４における一端と他端との間には、電磁ソレノイド１６２の鉄心と連結された連結棒１６８が設けられており、鉄心と一体となって鉛直方向に移動する。
【００３５】
また、規制部材１６４は、連動部材１４４および電磁ソレノイド１６２の位置に比べて下方に配設されている。より具体的には、肉厚の厚い端部が電磁ソレノイド１６２の下方、そして、突起部１６４ａが形成される肉厚の薄い端部が連動部材１４４の下方に位置するように配設されている。
【００３６】
ここで、図６（ａ）に示す規制部材１６４は、電磁ソレノイド１６２の未通電状態において連動部材１４４と非接触となり、連動部材１４４の回転を許容する許容位置にある。一方、図６（ｂ）および図６（ｃ）に示すように、規制部材１６４は、電磁ソレノイド１６２の通電状態において、突起部１６４ａと連動部材１４４（係止部１４４ｃ）とが接触し、連動部材１４４の回転を規制する規制位置にある。具体的には、電磁ソレノイド１６２が通電されると、図６（ｂ）、（ｃ）に示すように、電磁ソレノイド１６２の鉄心が上方に引き寄せられ、鉄心に固定された連結棒１６８も上方に引き寄せられる。そうすると、規制部材１６４は、取付部材１６６に軸支された他端を中心にして、突起部１６４ａが上方に移動し、連動部材１４４の先端に設けられた係止部１４４ｃと接触した規制位置に移動する。
【００３７】
図７は、レバーユニット１２０に対して弾性ユニット１４０による弾性力が作用された場合における動作を説明する図である。図７に示すように、切替手段１６０が、電磁ソレノイド１６２を通電状態に切り替え、規制部材１６４を規制位置に移動させたとする。この状態で、遊技者によってレバーユニット１２０が傾倒されると、回転軸１２２と一体に固定部材１４２、第２コイルバネ１４６が回転する。このとき、連動部材１４４には、第２コイルバネ１４６の端部が固定されているため、連動部材１４４も回転軸１２２と一体に回転しようとする。しかしながら、規制部材１６４が規制位置にあるとき、突起部１６４ａが連動部材１４４に形成された係止部１４４ｃの移動軌跡上に突出している。そのため、連動部材１４４が回転すると、係止部１４４ｃが突起部１６４ａに係止され、連動部材１４４の回転が規制される。
【００３８】
連動部材１４４は、回転軸１２２に相対回転自在に設けられているため、係止部１４４ｃが規制部材１６４に係止された状態では、回転軸１２２が連動部材１４４に対して相対回転する。一方、固定部材１４２は、回転軸１２２に固定されており、回転軸１２２と一体回転する。そして、第２コイルバネ１４６は、一端が固定部材１４２に固定されており、他端が連動部材１４４に固定されていることから、係止部１４４ｃが規制部材１６４に係止された状態でレバーユニット１２０が傾倒されると、第２コイルバネ１４６に捩じり力が作用する。つまり、レバーユニット１２０を傾倒する前の状態に復帰させようとする弾性力が第２コイルバネ１４６に生じる。
【００３９】
しがって、レバーユニット１２０を傾倒させた遊技者は、規制部材１６４が規制位置にある場合、規制部材１６４が許容位置にある場合に比べて、より大きな外力を作用させる必要がある。言い換えると、遊技者は、規制部材１６４が規制位置にある場合、規制部材１６４が許容位置にある場合に比べて、レバーユニット１２０から受ける負荷が大きくなったと感じる。ここで、レバーユニット１２０に対して第１コイルバネ１３０による弾性力と、弾性ユニット１４０（第２コイルバネ１４６）による弾性力とが作用する状態を高負荷状態とよぶ。
【００４０】
以上のように、レバー操作装置１００は、規制部材１６４が規制位置にあるときに高負荷状態となり、規制部材１６４が許容位置にあるときに低負荷状態となる。つまり、従来における負荷の程度を切り替える操作装置の設計は、煩雑になりやすい傾向があったものの、本実施形態では、負荷の程度を切り替えるレバー操作装置１００の設計を簡素にすることができる。
【００４１】
図８は、移動ユニット１０４を説明する図である。図８（ａ）は、移動ユニット１０４における右後方側からの斜視図を示し、図８（ｂ）は、移動ユニット１０４における左後方側からの斜視図を示す。ここで、図８（ａ）および図８（ｂ）は、移動ユニット１０４が、レバーユニット１２０の傾倒動作が制限される待機位置にある状態を示している。
【００４２】
図８（ａ）に示すように、移動ユニット１０４は、土台部１８０を備えており、土台部１８０と遊技機１（不図示）とが固定されることで、レバー操作装置１００が遊技機１に配置される。土台部１８０には、Ｘ軸方向に長手方向を沿わせて配される第１支持軸１８２と、この第１支持軸１８２よりも下方において第１支持軸１８２に平行に配された第２支持軸１８６とが相対回転自在に軸支されている。第１支持軸１８２は、その両端により、第１懸架部材１８４を相対回転自在に軸支しており、第２支持軸１８６は、その両端により、第２懸架部材１８８を相対回転自在に軸支している。
【００４３】
第１懸架部材１８４は、一対の板状部材１８４ａと、一対の板状部材１８４ａを連結するとともに、第１支持軸１８２に平行に配される連結板１８４ｂとによって構成される。第１懸架部材１８４は、各板状部材１８４ａの一端側が第１支持軸１８２に相対回転自在に軸支されており、他端側に、上記のレバーユニット１２０の回転軸１２２（不図示）が相対回転自在に挿通されている。
【００４４】
第２懸架部材１８８は、第１懸架部材１８４と同様に一対の板状部材１８８ａと、一対の板状部材１８８ａを連結するとともに、第２支持軸１８６に平行に配される連結板１８８ｂ（図８（ｂ）、参照）とによって構成される。第２懸架部材１８８は、各板状部材１８８ａの一端側が第２支持軸１８６に相対回転自在に軸支されており、他端側に、ケーシング１０６に設けられた第３支持軸１９０が相対回転自在に挿通されている。第３支持軸１９０は、回転軸１２２よりも下方に位置し、回転軸１２２と平行に配されており、ケーシング１０６に相対回転自在に軸支されている。
【００４５】
また、移動ユニット１０４は、モータ１９２を備えており、モータ１９２の出力軸に、歯車収容部材１９４に収容された第１歯車１９６が固定されている。第１歯車１９６に噛合する第２歯車１９８は、略半円形状の歯車であって、中心軸２００と、中心軸２００よりも径方向外方に位置する偏心軸２０２とが設けられている。中心軸２００は、一端が第２歯車１９８に固定されており、他端が歯車収容部材１９４に相対回転自在に軸支されている。つまり、中心軸２００は、歯車収容部材１９４と第２歯車１９８との間に懸架されている。また、偏心軸２０２は、一端が第２歯車１９８に固定されており、他端が第２懸架部材１８８に形成された軸支孔１８８ｃ内に位置している。つまり、偏心軸２０２は、第２懸架部材１８８と第２歯車１９８との間に懸架されている。
【００４６】
図８（ｂ）に示すように、軸支孔１８８ｃは、第２懸架部材１８８における板状部材１８８ａの長手方向に延びる長孔である。ここで、図８（ａ）および図８（ｂ）に示す状態では、偏心軸２０２は、軸支孔１８８ｃ内において、第３支持軸１９０側に位置した状態となる。
【００４７】
また、移動ユニット１０４は、第２支持軸１８６に設けられた補助機構２１０を備えている。補助機構２１０は、第３コイルバネ２１２と、係合部材２１４とを含んで構成されている。
【００４８】
第３コイルバネ２１２は、第２支持軸１８６に挿通された状態で、一端が第２懸架部材１８８に形成された係合溝１８８ｄに係合され、他端が係合部材２１４に係合されている。係合部材２１４は、第３コイルバネ２１２の他端を係合する本体部２１４ａと第２支持軸１８６に挿通される円筒部２１４ｂとを含んで構成される。本体部２１４ａは、土台部１８０に当接した状態で締結部材によって固定される。
【００４９】
図９は、移動ユニット１０４の動作を説明する図である。図９に示すように、遊技機１（図２参照）に設けられた制御装置（不図示）からの制御信号によって作動するモータ１９２は、第１歯車１９６を、図中時計回り（実線矢印で示す）方向に回転させる。第１歯車１９６が回転すると、第２歯車１９８が連動して図中反時計回り（破線矢印で示す）方向に回転する。第２歯車１９８が回転すると、偏心軸２０２は、中心軸２００を軸として図中反時計回り方向に移動する。
【００５０】
ここで、図８（ａ）に示す状態から図９に示す状態に移行するまでに、偏心軸２０２の一端が中心軸２００と同じ高さまで移動すると、偏心軸２０２の他端は、軸支孔１８８ｃが形成される方向に沿って、第３支持軸１９０側から第２支持軸１８６側まで移動する。
【００５１】
次に、偏心軸２０２の一端が中心軸２００より高い位置へ移動すると、偏心軸２０２の他端は、軸支孔１８８ｃの上方側の縁を押圧しながら、軸支孔１８８ｃ内を第２支持軸１８６側から第３支持軸１９０側まで移動する。そうすると、偏心軸２０２の移動に伴う押圧力によって、第２懸架部材１８８の一端側（ケーシング１０６側）は、上方に押し上げられ、同時に操作ユニット１０２全体が上方へ移動する。また、第２懸架部材１８８に対して補助機構２１０の第３コイルバネ２１２の弾性力が作用されているため、操作ユニット１０２を、偏心軸２０２のみの押圧力に比べて、容易に押し上げることができる。
【００５２】
このようにして、移動ユニット１０４は、遊技者によるレバーユニット１２０の傾倒動作が制限される待機位置（図２参照）からレバーユニット１２０の傾倒動作が可能となる操作位置まで、操作ユニット１０２を移動させることができる。例えば、操作ユニット１０２の操作を受け付ける場合にのみ、操作ユニット１０２を操作位置に移動させることで、操作ユニット１０２の操作タイミングであることを遊技者に明確にすることができる。
【００５３】
なお、待機位置においては、操作ユニット１０２の可動部が不図示のストッパーに接触することで、レバーユニット１２０の傾倒動作が制限される。ただし、レバーユニット１２０の傾倒動作を、待機位置および操作位置の双方で可能としてもよい。この場合、例えば、遊技の進行状況等に合わせて、待機位置で遊技者の操作を受け付けたり、操作位置で遊技者の操作を受け付けたりすることで、演出効果をより一層向上することができる。
【００５４】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５５】
また、上記実施形態では、弾性部材として第２コイルバネ１４６を採用した場合を示したが、これに限定されるものではない。例えば、弾性部材は、渦巻バネなどの回転軸１２２の回転方向に弾性力を作用させる部材でもよいし、レバーユニット１２０の把持部１２６の移動方向に弾性力を作用させる部材であってもよい。
【００５６】
また、上記実施形態では、切替手段１６０におけるアクチュエータとして電磁ソレノイド１６２を採用した場合を示したが、これに限定されるものではない。例えば、アクチュエータは、モータであってもよい。
【００５７】
また、上記実施形態では、移動ユニット１０４を備えることとしたが、移動ユニット１０４は必須の構成ではない。
【産業上の利用可能性】
【００５８】
本発明は、遊技者の操作を受け付けるレバー操作装置を備えた遊技機に利用できる。
【符号の説明】
【００５９】
１  遊技機
１００  レバー操作装置
１０２  操作ユニット
１０４  移動ユニット
１０６  ケーシング
１２０  レバーユニット
１２２  回転軸
１２６  把持部
１４０  弾性ユニット
１４２  固定部材
１４４  連動部材
１４６  第２コイルバネ（弾性部材）
１６０  切替手段
１６２  電磁ソレノイド（アクチュエータ）
１６４  規制部材
【図１】
2017000491.tif 000003
【図２】
2017000491.tif 000004
【図３】
2017000491.tif 000005
【図４】
2017000491.tif 000006
【図５】
2017000491.tif 000007
【図６】
2017000491.tif 000008
【図７】
2017000491.tif 000009
【図８】
2017000491.tif 000010
【図９】
2017000491.tif 000011